(57)【要約】【課題】周囲環境の明るさが投写表示に適するか否かを容易に把握できる投写型表示装置を提供する。【解決手段】プロジェクタには、周囲環境の明るさに基づく照度を検出する照度センサ４０が配されている。照度センサ４０により検出された照度は、制御部７０１により取得される。制御部７０１は、取得した照度に応じて照度表示部５０を制御する。照度表示部５０は、ＬＥＤを含み、照度センサ４０により検出された照度に応じてＬＥＤの状態が変化する。【選択図】図３
2011128366.tif 000002
【特許請求の範囲】
【請求項１】
光源からの光を変調して被投写面に投写する投写型表示装置において、
周囲環境の明るさを検出する明るさ検出部と、
前記明るさ検出部による検出結果に応じた報知を行う明るさ報知部と、
を備えたことを特徴とする投写型表示装置。
【請求項２】
請求項１に記載の投写型表示装置において、
前記明るさ報知部は、投写動作が行われていないときの前記検出結果に応じた報知を行う、
ことを特徴とする投写型表示装置。
【請求項３】
請求項２に記載の投写型表示装置において、
前記明るさ報知部は、投写動作が行われる前に前記報知を行う、
ことを特徴とする投写型表示装置。
【請求項４】
請求項１ないし３の何れか一項に記載の投写型表示装置において、
前記明るさ報知部は、光により前記報知を行う表示部を含み、
前記明るさ検出部と前記表示部は、当該投写型表示装置の筐体における互いに異なる面に配される、
ことを特徴とする投写型表示装置。
【請求項５】
光源からの光を変調して被投写面に投写する機能を有する携帯端末装置において、
周囲環境の明るさを検出する明るさ検出部と、
前記明るさ検出部による検出結果に応じた報知を行う明るさ報知部と、
を備えたことを特徴とする携帯端末装置。
【請求項６】
光源からの光を変調して被投写面に投写する機能を有する携帯型カメラにおいて、
周囲環境の明るさを検出する明るさ検出部と、
前記明るさ検出部による検出結果に応じた報知を行う明るさ報知部と、
を備えたことを特徴とする携帯型カメラ。
【発明の詳細な説明】
【技術分野】
【０００１】
本発明は、投写型表示装置、携帯端末装置および携帯型カメラに関する。
【背景技術】
【０００２】
従来、投写型表示装置（以下、「プロジェクタ」という）では、周囲が明るい環境下で使用した場合、コントラストの低下等、投写した画像の画質が低下するという問題があった。
【０００３】
近年、手軽に持ち運んで様々な場所で画像を投写表示できるように、いわゆる手のひらサイズの超小型プロジェクタが開発されたり、携帯電話機やデジタルカメラにプロジェクタ機構が内蔵されたりしている。このような超小型プロジェクタやプロジェクタ付きの携帯電話機、デジタルカメラの場合には、外形サイズが小さいため、高輝度の光源を用いることが難しく、特に、明るい環境下での画質の低下は大きなものとなり得る。
【０００４】
そこで、周囲環境の明るさを測定し、測定された明るさが規定値を超える場合には、投写動作を停止するようにしたプロジェクタが提案されている（たとえば、特許文献１参照）。
【先行技術文献】
【特許文献】
【０００５】
【特許文献１】特開２００７−２７１９２１号公報
【発明の概要】
【発明が解決しようとする課題】
【０００６】
しかしながら、上記構成のプロジェクタにおいては、プロジェクタによる投写動作が一旦行われた後に、その投写動作が停止してはじめて良好な投写表示が行えないことわかるため、投写表示が良好に行える場所を探したり、周囲を暗くしたりするなどの対応を行うのに、長い時間や大きな手間を要しまう。
【０００７】
本発明は、かかる課題に鑑みてなされたものであり、周囲環境の明るさが投写表示に適するか否かを容易に把握できる投写型表示装置、携帯端末装置および携帯型カメラを提供することを目的とする。
【課題を解決するための手段】
【０００８】
本発明の第１の態様は、光源からの光を変調して被投写面に投写する投写型表示装置に関する。本態様に係る投写型表示装置は、周囲環境の明るさを検出する明るさ検出部と、前記明るさ検出部による検出結果に応じた報知を行う明るさ報知部とを備える。
【０００９】
第１の態様に係る投写型表示装置によれば、周囲環境の明るさに応じた報知がなされるので、ユーザは周囲環境の明るさが投写表示に適するか否かを容易に把握することができる。
【００１０】
第１の態様に係る投写型表示装置において、前記明るさ報知部は、投写動作が行われていないときの前記検出結果に応じた報知を行うような構成とされ得る。
【００１１】
たとえば、前記明るさ報知部は、投写動作が行われる前に前記報知を行うような構成とされ得る。
【００１２】
このような構成とすれば、被投写面からの反射光等、投写された光が、明るさ検出部による検出に影響を及ぼすことがないので、周囲環境の明るさを精度良く検出できる。また、無駄な投写が回避されるため、消費電力の抑制を図ることができる。
【００１３】
第１の態様に係る投写型表示装置において、前記明るさ報知部は、光により前記報知を行う表示部を含むような構成とされ得る。この場合、前記明るさ検出部と前記表示部は、当該投写型表示装置の筐体における互いに異なる面に配される。
【００１４】
このような構成とすれば、周囲環境の明るさの検出に、表示部からの光が影響を及ぼすのを抑制することができるので、周期環境の明るさを精度良く検出できる。
【００１５】
本発明の第２の態様は、光源からの光を変調して被投写面に投写する機能を有する携帯端末装置に関する。本態様に係る携帯端末装置は、周囲環境の明るさを検出する明るさ検出部と、前記明るさ検出部による検出結果に応じた報知を行う明るさ報知部とを備える。
【００１６】
第２の態様に係る携帯端末装置によれば、第１の態様と同様、ユーザは周囲環境の明るさが投写表示に適するか否かを容易に把握することができる。
【００１７】
本発明の第３の態様は、光源からの光を変調して被投写面に投写する機能を有する携帯型カメラに関する。本態様に係る携帯型カメラは、周囲環境の明るさを検出する明るさ検出部と、前記明るさ検出部による検出結果に応じた報知を行う明るさ報知部とを備える。
【００１８】
第３の態様に係る携帯型カメラによれば、第１の態様と同様、ユーザは周囲環境の明るさが投写表示に適するか否かを容易に把握することができる。
【発明の効果】
【００１９】
以上のとおり、本発明によれば、周囲環境の明るさが投写表示に適するか否かを容易に把握できる投写型表示装置、携帯端末装置および携帯型カメラを提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係るプロジェクタの構成を示す図である。
【図２】実施の形態に係る光学エンジンおよび投写レンズの構成を示す図である。
【図３】実施の形態に係るプロジェクタの構成を示すブロック図である。
【図４】実施の形態に係るプロジェクタの運転制御の処理フローを示す図である。
【図５】実施の形態に係る、検出照度と基準照度との比較結果に基づく照度表示部の表示状態を表す図である。
【図６】実施の形態に係る携帯電話機の構成を示す図である。
【図７】実施の形態に係るデジタルカメラの構成を示す図である。
【発明を実施するための形態】
【００２２】
＜投写型表示装置の実施形態＞
図１から図５を参照し、本発明の投写型表示装置の一実施形態に係るプロジェクタについて説明する。
【００２３】
図１は、プロジェクタの構成を示す外観斜視図である。本実施の形態のプロジェクタは、いわゆる手のひらサイズ（ポケットサイズ）の超小型プロジェクタである。本プロジェクタの幅、高さ、奥行きのサイズは、それぞれ、数十ｍｍ〜百数十ｍｍ程度とされている。また、本プロジェクタは、後述するように、ＬＥＤ光源を備えており、その輝度は、数ルーメン（ｌｍ）〜数十ルーメン程度とされている。
【００２４】
図１に示すように、プロジェクタは、キャビネット１０と、光学エンジン２０と、投写レンズ３０と、照度センサ４０と、照度表示部５０と、操作部６０とを備えている。
【００２５】
キャビネット１０は、縦長の略直方体形状を有し、前面中央部には、投写窓１０１が形成されている。投写窓１０１からは、投写レンズ３０の出射面が前方へ臨んでいる。
【００２６】
光学エンジン２０は、キャビネット１０内に配され、入力された映像信号に基づく画像を生成し、投写レンズ３０へ出力する。
【００２７】
図２（ａ）は、光学エンジン２０および投写レンズ３０の構成を示す図である。
【００２８】
光学エンジン２０は、光源部２０１と、自由曲面レンズ２０２と、ＰＢＳアレイ２０３と、ＰＢＳ２０４と、光変調部２０５とを備えている。
【００２９】
光源部２０１は、白色光を発するＬＥＤからなる。光源部２０１から出射された光は、自由曲面レンズ２０２に入射される。自由曲面レンズ２０２は、入射された光が光変調部２０５に適正に照射されるよう、レンズ作用を付与する。自由曲面レンズ２０５から出射された光は、ＰＢＳアレイ２０３を通過することにより、ＰＢＳ２０４に対してＳ偏光となるよう偏光方向が揃えられる。ＰＢＳアレイ２０３を通過したＳ偏光の光は、ＰＢＳ２０４で反射され、光変調部２０５に照射される。
【００３０】
光変調部２０５は、ＲＧＢのカラーフィルタを有する反射型液晶パネルからなる。光変調部２０５は、ＲＧＢ各色のカラーフィルタを通過した赤色波長帯の光（以下、Ｒ光という）、緑色波長帯の光（以下、Ｇ光という）および青波長帯の光（以下、Ｂ光という）を、映像信号に基づいて画素毎に変調し反射する。
【００３１】
光変調部２０５から出射されたＲ光、Ｇ光およびＢ光は、その偏光方向に応じてＰＢＳ２０４を透過し、映像光として投写レンズ３０に入射される。
【００３２】
投写レンズ３０は、光学エンジン２０から出射された映像光を、被投写面へ拡大投写する。投写レンズ３０は、その光軸方向に移動可能なフォーカスレンズ（図示せず）を含む。フォーカスレンズを前後に移動させることにより、フォーカス調整が行われる。
【００３３】
図１に戻り、照度センサ４０は、キャビネット１０の前面における右側面近傍の上端位置に配されおり、そのセンサ面が前方に臨んでいる。照度センサ４０は、プロジェクタの周囲環境の明るさに基づく照度を検出し、照度に応じた検出信号を出力する。
【００３４】
照度表示部５０は、キャビネット１０の上面における左側面近傍の前端位置に配されている。照度表示部５０は、ＬＥＤを含み、照度センサ４０により検出された照度、即ち周囲環境の明るさに応じて、ＬＥＤの状態を変化させる。
【００３５】
操作部６０は、キャビネット１０の右側面に配されている。操作部６０は、運転開始／停止ボタン等、複数の操作ボタンを有し、操作ボタンに応じた操作信号を出力する。
【００３６】
なお、キャビネット１０の右側面には、操作部６０の他、後述する電源スイッチ８０４の操作スイッチ部８０４ａが配されている。ユーザは、操作スイッチ部８０４ａを操作することにより、プロジェクタに対する電源のオン／オフを行うことができる。
【００３７】
図３は、プロジェクタの構成を示すブロック図である。なお、図３において、実線矢印は信号ラインを示し、破線矢印は電源ラインを示す。
【００３８】
プロジェクタは、図２に示す構成の他、制御ユニット７０と、電源ユニット８０とを備えている。制御ユニット７０は、制御部７０１と、記憶部７０２と、映像信号処理部７０３と、映像信号入力部７０４とを含む。
【００３９】
映像信号入力部７０４は、コンポジットビデオ端子、Ｄ−ｓｕｂ端子等の入力端子を含む。モバイルパソコン、携帯電話機、デジタルカメラ等からの信号ケーブルが入力端子に接続される。映像信号入力部７０４には、接続された機器から映像信号が入力される。
【００４０】
映像信号処理部７０３は、映像信号入力部７０４を介して入力された映像信号に各種処理を施して光変調部２０５に適する映像信号を生成し、光変調部２０５へ出力する。
【００４１】
記憶部７０２は、ＲＡＭ、ＲＯＭ等で構成されている。記憶部７０２には、制御部７０１に制御機能を付与するための制御プログラムが記憶されている。
【００４２】
制御部７０１は、ＣＰＵを備える。制御部７０１には、操作部６０から操作信号が入力され、照度センサ４０から検出信号が入力される。制御部７０１は、操作信号や検出信号に基づき、記憶部７０２に記憶された制御プログラムに従って、光源部２０５や映像信号処理部７０３、照度表示部５０を制御する。
【００４３】
電源ユニット８０は、電源入力部８０１と、電池充電部８０２と、二次電池８０３と、電源スイッチ８０４と、電源部８０５とを含む。
【００４４】
電源ユニット８０には、充電を行う際、ＡＣアダプタ９０が接続される。ＡＣアダプタ９０は、商用電源に接続され、商用電源の交流電圧を直流電圧に変換し、電源ユニット８０へ供給する。
【００４５】
電源入力部８０１は、ＡＣアダプタ９０から供給された直流電圧を電池充電部８０２へ供給する。電池充電部８０２は、二次電池８０３を充電する。このとき、二次電池８０３が過充電とならないよう、電池充電部８０２により充電制御が行われる。また、電池充電部８０２からは、充電状況等が制御部７０１へ出力される。
【００４６】
二次電池８０３は、電源スイッチ８０４を介して電源部８０５へ直流電圧を出力する。電源部８０５は、入力された直流電圧を、制御部７０１等、プロジェクタの各部に適する大きさの直流電圧に変換し、各部へ供給する。なお、電源ユニット８０にＡＣユニット９０が接続されているときには、電源入力部８０１から電源部８０５へ直流電圧が直接供給される。
【００４７】
電源スイッチ８０４は、前述した操作スイッチ部８０４ａを有し、二次電池８０３、電源部８０４および電源入力部８０１から電源部８０５への電源ラインを接続または遮断する。ユーザによって電源をオンする操作がなされると、電源スイッチ８０４がオンする。これにより、電源ラインが接続され、電源部８０５へ直流電圧が供給される。一方、ユーザによって電源をオフする操作がなされると、電源スイッチ８０４がオフする。これにより、電源ラインが遮断され、電源部８０５への直流電圧の供給が停止される。電源スイッチ８０４には、たとえば、ロッカースイッチ（シーソースイッチ）やスライドスイッチ、レバースイッチ等が用いられる。
【００４８】
図４は、プロジェクタの運転制御の処理フローを示す図である。
【００４９】
プロジェクタが使用されないときには、通常、電源スイッチ８０４がオフされている。これにより、電源部８０５へは電力が供給されず、プロジェクタの各部に電力が供給されない。
【００５０】
プロジェクタによる投写表示を行う場合、まず、ユーザは、操作スイッチ部８０４ａを操作して、電源スイッチ８０４をオンさせる。
【００５１】
電源スイッチ８０４がオンし、電源部８０５へ電力が供給されると、制御部７０１が起動する。これにより、プロジェクタは待機状態となる。
【００５２】
制御部７０１は、照度センサ４０から検出信号（照度）を取得する（Ｓ１０１）。そして、取得した照度に応じた報知を照度表示部５０に行わせる（Ｓ１０２）。
【００５３】
たとえば、記憶部７０２には、図５（ａ）に示すように、検出された照度（検出照度：Ｌ０）の閾値とされる照度（基準照度：Ｌ１）が記憶されている。また、制御プログラムには、検出照度Ｌ０と基準照度Ｌ１との比較結果に応じた報知表示部５０の表示状態（ＬＥＤの状態）が設定されている。基準照度Ｌ１は、たとえば、良好な画質が得られる上限の照度とされる。
【００５４】
制御部７０１は、検出照度Ｌ０が基準照度Ｌ１より大きければ、照度表示部５０のＬＥＤを消灯状態とし、検出照度Ｌ０が基準照度Ｌ以下であれば、照度表示部５０のＬＥＤを点灯状態とする。
【００５５】
ユーザは、照度表示部５０のＬＥＤが消灯していれば、その場所が明るすぎるので、プロジェクタによる投写表示が良好に行えないことを知ることができる。この場合、ユーザは、プロジェクタを持ってもう少し暗い場所に移動する。あるいは、部屋の照明を消したり、カーテンを閉めたりして周囲を暗くする。
【００５６】
一方、ユーザは、照度表示部５０のＬＥＤが点灯していれば、その場所が十分暗く、プロジェクタの投写に適していることを知ることができる。この場合、ユーザは、その場所にプロジェクタを設置し、運転を開始することになる。
【００５７】
なお、図５（ｂ）、（ｃ）に示すように、複数の基準照度を設けることもできる。図５（ｂ）は、２つの基準照度Ｌ１、Ｌ２が設けられた場合の比較結果とＬＥＤの状態との対応関係を示し、図５（ｃ）は、４つの基準照度が設けられた場合の比較結果とＬＥＤの状態との対応関係を示す。このように、基準照度が多く設定されれば、照度表示部５０の構成や制御が複雑となるものの、より詳細な照度の報知が可能となる。よって、基準照度の個数は、照度報知の精度やコスト等を考慮して、適宜、設定され得る。なお、同図（ｃ）の報知形態を用いる場合には、照度表示部５０に赤と緑の光を発光する２つのＬＥＤが配置される。
【００５８】
制御部７０１は、電源スイッチ８０４がオフされなければ（Ｓ１０３：ＮＯ）、待機状態の間、照度の検出（Ｓ１０１）と、検出された照度に基づく報知（Ｓ１０２）を繰り返す。
【００５９】
さて、ユーザは、照度表示部５０の表示により、投写表示が可能であることを確認すると、モバイルパソコン、携帯電話機、デジタルカメラ等の映像元とプロジェクタとを信号ケーブルでつなぐ等、セッティング作業を行う。これら映像元の機器は、プロジェクタとともに、出張先や旅行等の様々な場所に持ち運ばれ、プロジェクタと接続され得る。
【００６０】
セッティング作業が終了すると、ユーザは、運転を開始するため操作部６０の運転開始／停止ボタンを押す。
【００６１】
制御部７０１は、運転開始の操作がなされると（Ｓ１０４：ＹＥＳ）、照度の検出および報知を終了する（Ｓ１０５）。そして、光源部２０１を点灯する等、プロジェクタを運転状態とするためのセットアップ処理を行う（Ｓ１０２）。
【００６２】
セットアップ処理が完了し、外部から映像信号入力部７０４を介して映像信号が入力されると、制御部７０１は、投写動作を開始する（Ｓ１０７）。前述のように、映像信号処理部７０３から映像信号が光変調部２０５に出力され、映像信号に基づく画像が投写レンズ３０を通じて被投写面に投写される。
【００６３】
ユーザは、プロジェクタの運転を停止する場合、再び、運転開始／停止ボタンを押す。
【００６４】
制御部７０１は、運転停止の操作がなされと（Ｓ１０８：ＹＥＳ）、プロジェタの運転を停止すべく、光源部３１１を消灯する等、所定のシャットダウン処理を行う（Ｓ１０９）。
【００６５】
シャットダウンが完了して運転が停止し、プロジェクタが待機状態に戻ると、制御部７０１は、再び、照度の検出（Ｓ１０１）と、検出された照度に基づく報知（Ｓ１０２）を行う。
【００６６】
以上、説明したとおり、本実施の形態によれば、周囲環境の明るさに基づく照度が検出され、その照度に応じた報知がなされるので、ユーザは周囲環境の明るさが投写表示に適するか否かを容易に確認することができる。したがって、実際にプロジェクタによる投写表示を行う前に、投写に良好な明るさの場所を選んでプロジェクタを設置したり、周囲を暗くしたりするなど、適切な対応をとることができる。
【００６７】
また、本実施の形態によれば、投写動作が行われる前に、照度が検出され、その照度に応じた報知がなされるので、被投写面からの反射光等、投写された光の影響を受けることなく、照度の検出ができる。したがって、周期環境の明るさに基づく照度を精度良く検出できる。
【００６８】
さらに、本実施の形態によれば、照度センサ４０と照度表示部５０とが、互いの距離がなるべく大きくなるように、キャビネット１０の右端と左端に分かれて配されている。また、照度センサ４０と照度表示部５０とが、キャビネット１０における互いに異なる面に配されている。これにより、照度表示部５０から出た光が、照度センサ４０に入射してしまうのを抑制することができる。したがって、周期環境の明るさに基づく照度を精度良く検出できる。
【００６９】
＜携帯端末装置の実施形態＞
図６を参照し、本発明の携帯端末装置の一実施形態に係る携帯電話機について説明する。本実施の形態に係る携帯電話機は、プロジェクタの機能が付加された携帯電話機（プロジェクタ付き携帯電話機）である。
【００７０】
図６は、携帯電話機の構成を示す外観斜視図である。図６（ａ）は、第１キャビネット１１１を閉じた状態を示し、図６（ｂ）は、第１キャビネット１１１を開いた状態を示す。
【００７１】
携帯電話機のキャビネット１１は、第１キャビネット１１１と第２キャビネット１２により構成されている。第１キャビネット１１１には、文字や画像を表示するためのディスプレイ１１３と、通話時に相手の声が再生される通話スピーカ１１４が配されている。一方、第２キャビネット１１２には、各種の操作キーからなる操作部１１５と、通話時にユーザの声を集音するマイク１１６が配されている。
【００７２】
第１キャビネット１１１は、第２キャビネット１１２によって前後方向にスライド可能に保持されている。図６（ｂ）に示すように、第１キャビネット１が開かれると、操作部１１６が外部に露出する。
【００７３】
携帯電話機は、プロジェクタとして機能するため、光学エンジン２１と、投写レンズ３１と、照度センサ４１と、照度表示部５１とを備えている。
【００７４】
光学エンジン２１および投写レンズ３１は、第２キャビネット１１２内に配されており、投写レンズ３１の出射面が第２キャビネット１１２の前面に形成された投写口１１７から前方に臨んでいる。光学エンジン２１および投写レンズ３１は、それぞれ、図１および図２に示すプロジェクタの光学エンジン２０および投写レンズ３０と同様な構成を有する。光学エンジン２１により生成された映像光は、投写レンズ３１によって被投写面に拡大投写される。
【００７５】
照度センサ４１は、第２キャビネット１１２の前面における右側面近傍の上端位置に配されている。照度表示部５１は、第１キャビネット１１１の上面における左側面近傍の前端位置に配されている。照度センサ４１および照度表示部５１は、それぞれ、図１に示すプロジェクタの照度センサ４０および照度表示部５０と同様な構成を有する。
【００７６】
携帯電話機には、さらに、プロジェクタの機能に関し、図３に示す制御ユニット７０と同様な制御ユニット（図示せず）が配されており、この制御ユニットによって、図４に示すような運転制御が実行される。即ち、本実施の形態に係る携帯電話機においても、投写動作が開始される前に、照度センサ４１によって周囲環境の明るさに基づく照度が検出され、検出された照度に応じた報知が照度表示部５１により行われる。
【００７７】
したがって、本実施の形態に係る携帯電話機によれば、上記実施の形態に係るプロジェクタと同様、ユーザは周囲環境の明るさが投写表示に適するか否かを容易に確認することができる。
【００７８】
なお、本実施の形態では、パソコン等から映像を取り込んで投写する他、携帯電話機のカメラで撮影された画像や電子メールに添付された画像、あるいは、携帯電話機の通信機能を用いてインターネットから取得した画像を投写することもできる。
【００７９】
＜携帯型カメラの実施形態＞
図７を参照し、本発明の携帯型カメラの一実施形態に係るデジタルカメラについて説明する。本実施の形態に係るデジタルカメラは、プロジェクタの機能が付加されたデジタルカメラ（プロジェクタ付きカメラ）である。
【００８０】
図７は、デジタルカメラの構成を示す外観斜視図である。
【００８１】
デジタルカメラのキャビネット１２内には、カメラモジュール１２１と、カメラモジュール１２１へ被写体の像を取り込むための撮像レンズ１２２が配されている。撮像レンズ１２２は、キャビネット１２の前面に設けられたレンズ窓１２３から前方へ臨んでいる。撮像レンズ１２２から取り込まれた光は、内部光学系を介してカメラモジュール１２１内の受光素子（ＣＣＤ）に受光される。
【００８２】
キャビネット１２の上面には、シャッターボタン１２４が配されている。ユーザはシャッターボタン１２４を押すことにより、写真撮影を行うことができる。シャッターボタン１２４が押されると、受光素子（ＣＣＤ）からの信号が処理されて、デジタルカメラ内のメモリに格納される。
【００８３】
デジタルカメラは、プロジェクタとして機能するため、光学エンジン２２と、投写レンズ３２と、照度センサ４２と、照度表示部５２とを備えている。
【００８４】
光学エンジン２２および投写レンズ３２は、キャビネット１２内に配されており、投写レンズ３２の出射面がキャビネット１２の前面に形成された投写口１２５から前方に臨んでいる。光学エンジン２２および投写レンズ３２は、それぞれ、図１および図２に示すプロジェクタの光学エンジン２０および投写レンズ３０と同様な構成を有する。光学エンジン２２により生成された映像光は、投写レンズ３２によって被投写面に拡大投写される。
【００８５】
照度センサ４２は、キャビネット１２の前面における右側面近傍の上端位置に配されている。照度表示部５２は、キャビネット１２の上面における左側面近傍の前端位置に配されている。照度センサ４２および照度表示部５２は、それぞれ、図１に示すプロジェクタの照度センサ４０および照度表示部５０と同様な構成を有する。
【００８６】
デジタルカメラには、さらに、プロジェクタの機能に関し、図３に示す制御ユニット７０と同様な制御ユニット（図示せず）が配されており、この制御ユニットによって、図４に示すような運転制御が実行される。即ち、本実施の形態に係るデジタルカメラにおいても、投写動作が開始される前に、照度センサ４２によって周囲環境の明るさに基づく照度が検出され、検出された照度に応じた報知が照度表示部５２により行われる。
【００８７】
したがって、本実施の形態に係るデジタルカメラによれば、上記実施の形態に係るプロジェクタと同様、ユーザは周囲環境の明るさが投写表示に適するか否かを容易に確認することができる。
【００８８】
なお、本実施の形態では、パソコン等から映像を取り込んで投写する他、デジタルカメラで撮影された画像を投写することもできる。
【００８９】
＜その他＞
本発明の実施形態は、上記以外にさらに種々の変更が可能である。
【００９０】
たとえば、図２（ａ）に示す光学エンジン２０（２１、２２）に替えて、図２（ｂ）に示す光学エンジン２５を、上記プロジェクタ、携帯電話機、およびデジタルカメラに搭載することもできる。
【００９１】
図２（ｂ）に示すように、光学エンジン２５は、３つの光源部２５１Ｒ、２５１Ｇ、２５１Ｂを備えている。光源部２５１Ｒは、Ｒ光を発するＬＥＤからなる。また、光源部２５１Ｇは、Ｇ光を発するＬＥＤからなり、光源部２５１Ｂは、Ｂ光を発するＬＥＤからなる。各光源部２５１Ｒ、２５１Ｇ、２５１Ｂからは、時分割で光が出射される。
【００９２】
光源部２５１Ｒから出射されたＲ光は、レンズ２５２Ｒを通ってダイクロイックミラー２５３に入射する。ダイクロイックミラー２５３は、Ｂ光およびＧ光を反射し、Ｒ光を透過する。Ｒ光は、ダイクロイックミラー２５３を透過して、フライアイレンズアレイ２５６に入射する。
【００９３】
光源部２５１Ｇから出射されたＧ光は、レンズ２５２Ｇを通ってダイクロイックミラー２５４に入射する。ダイクロイックミラー２５４は、Ｇ光を反射し、Ｂ光を透過する。Ｇ光は、ダイクロイックミラー２５４で反射され、さらにダイクロイックミラー２５３で反射されて、フライアイレンズアレイ２５６に入射する。
【００９４】
光源部２５１Ｂから出射されたＢ光は、レンズ２５２Ｂを通ってミラー２５５で反射される。そして、ダイクロイックミラー２５４を透過し、さらにダイクロイックミラー２５３で反射されて、フライアイレンズアレイ２５６に入射する。
【００９５】
フライアイレンズアレイ２５６は、一対のレンズからなり、各レンズは、蠅の目状に配された多数のセルから構成されている。これらセルによって入射された光（Ｒ光、Ｂ光、Ｇ光）が分割される。分割された各光は、コンデンサレンズ２５７のレンズ作用およびミラー２５８での反射により、ＤＭＤ２５９に重畳される。これにより、ＤＭＤ２５９に照射される光の光量分布が均一化される。
【００９６】
ＤＭＤ２５９は、個々に各々独立駆動するマイクロミラーを含み、時分割で照射されるＲ光、Ｇ光およびＢ光を、映像信号に基づいて変調する。変調されたＲ光、Ｇ光およびＢ光は、順次、投写レンズ３０によって被投写面に拡大投写される。
【００９７】
Ｒ光、Ｇ光およびＢ光の出射の切り替えは、非常に高速で行われため、投写されたＲ光、Ｇ光およびＢ光は、被投写面上で合成され、ユーザの目には１つのカラー画像として映る。
【００９８】
また、照度センサ４０（４１、４２）は、必ずしも、上記３つの実施形態に示す位置に配される必要はなく、周囲環境の明るさが適正に検出される位置であれば、キャビネット１０（１１、１２）のどの面のどの位置に配されてもよい。同様に、照度表示部５０（５１、５２）も、ユーザが見やすい位置であれば、キャビネット１０（１１、１２）どの面のどの位置に配されてもよい。ただし、上述の通り、照度表示部５０（５１、５２）からの光が照度センサ４０（４１、４２）に入射しないよう、照度センサ４０（４１、４２）と照度表示部５０（５１、５２）は、互いに異なる面に、且つ、できるだけ距離を開けるようにして配されることが望ましい。
【００９９】
さらに、プロジェクタおよびデジタルカメラの実施形態においては、照度表示部５０（５２）のＬＥＤからの光がキャビネット１０（１２）の内部において照度センサ４０（４１）に入射するのを防止するため、ＬＥＤや照度センサ４０（４１）を遮光できる壁部材で囲うようにしてもよい。
【０１００】
また、上記３つの実施形態において、照度表示部５０（５１、５２）には、ＬＥＤからの光の出射口部分にスリットを形成し、ＬＥＤからの光の直進性が高まるようにしてもよい。このようにすれば、ＬＥＤからの光が周囲に広がり難くなるので、照度センサ４０（４１、４２）に入射しにくくなる。
【０１０１】
さらに、上記３つの実施形態では、照度表示部５０（５１、５２）により光を用いて照度の報知を行うようにしているが、これに限らず、他の報知形態により照度の報知を行うようにしてもよい。たとえば、スピーカを用いて、音（音声、ビープ音等）により照度に応じた報知を行うようにしてもよい。音による報知を行えば、照度センサ４０（４１、４２）に対する報知のための光の影響を考慮する必要がなくなる。
【０１０２】
また、本発明の投写型表示装置の一実施形態として、超小型プロジェクタを例示したが、本発明は、超小型プロジェクタよりも大きなプロジェクタ、いわゆるホームユースやビジネスユースのプロジェクタに適用されてもよい。
【０１０３】
しかしながら、上述した超小型プロジェクタやプロジェクタ付き携帯電話機、プロジェクタ付きカメラの場合には、外形サイズが小さいことや電源に二次電池が用いられていることなどから、高輝度の光源を配することが難しい。このため、高輝度化が進んでいるホームユースやビジネスユースのプロジェクタに比べて、周囲環境の明るさの影響を極めて受けやすい。
【０１０４】
また、ホームユースやビジネスユースのプロジェクタの場合には、設置される場所がある程度限られるが、上記超小型プロジェクタ等の場合には、手軽に持ち運べるため、様々な場所に設置され得る。
【０１０５】
したがって、このような超小型プロジェクタやプロジェクタ付き携帯電話機、プロジェクタ付きカメラに本発明が適用されれば、様々な場所で使用される際に、その都度、良好な設置場所を容易に探し出すことができ、ユーザの使い勝手を格段に向上させることができる。
【０１０６】
さらに、本発明の携帯端末装置の一実施形態として、携帯電話機を例示したが、本発明は、ＰＤＡ（Personal Digital Assistant）に適用されてもよい。本発明の携帯型カメラの一実施形態として、デジタルカメラを例示したが、本発明は、デジタルビデオカメラに適用されてもよい。
【０１０７】
この他、本発明の実施の形態は、特許請求の範囲に示された技術的思想の範囲内において、適宜、種々の変更が可能である。
【符号の説明】
【０１０８】
１０、１１、１２  キャビネット（筺体）
４０、４１、４２  照度センサ（明るさ検出部）
５０、５１、５２  照度表示部（明るさ報知部、表示部）
７０１  制御部（明るさ報知部）
【図１】
2011128366.tif 000003
【図２】
2011128366.tif 000004
【図３】
2011128366.tif 000005
【図４】
2011128366.tif 000006
【図５】
2011128366.tif 000007
【図６】
2011128366.tif 000008
【図７】
2011128366.tif 000009